(57)【要約】【課題】低消費電力で通電ドリフトの影響を受けない電子天びんを提供する。【解決手段】時刻信号を発信する時計装置６と、発信された時刻を計時する演算制御部３と、電子天びんの荷重検出部１への電源供給の開始／終了時刻を設定する入力装置５と、読取時刻が設定時刻に一致した時点で荷重検出部１及び表示器４への電源供給を開始または終了する電源入切器７を備え、時刻が電源供給開始時刻に一致した時点で前記電源入切器７をＯＮにし、終了時刻に一致した時点で前記電源入切器７をＯＦＦにする。【選択図】          図１
2007155681.tif 000002
【特許請求の範囲】
【請求項１】
載置された試料荷重を電気信号に変換する荷重検出部からの出力信号を質量値に換算して表示する電子天びんにおいて、現在時刻を発信する時刻信号発信手段と、荷重検出部への電源供給を開始および終了する時刻を設定する時刻設定手段と、時刻信号が設定時刻に一致または設定時間を越えたことを判定する時刻判定手段と、時刻信号が電源供給開始時刻を越えた時点より全回路への電源供給を開始し、電源供給終了時刻を越えた時点より少なくとも荷重検出部を含む電気回路への電源供給を休止する電源供給手段を備えていることを特徴とする電子天びん。
【請求項２】
電源供給開始時刻から電源供給終了時刻までの期間中において、計量値表示回路への電源供給をオンオフする電源切替手段を設けたことを特徴とする請求項１記載の電子天びん。
【発明の詳細な説明】
【技術分野】
【０００１】
本発明は、電子天びん、はかりに関する。
【背景技術】
【０００２】
従来の電子天びん、特に電池駆動式の電子天びんにおいては電池の消耗の低減を図るために、使用していない時間が一定時間経過すると自動的に電源が切れて動作を停止するオートパワー式のものが開示されているが（特許文献１参照）、再度電源を供給して動作させるには、使用者が使用の都度スイッチなどを操作して電源投入を行っていた。
また、電子天びんは、電源投入後しばらくの間、図５に示すような通電ドリフトが発生持続するので、ほぼ通電ドリフトの変化がなくなるまでの時間、すなわち暖機時間後に測定を行う必要があった（特許文献２参照）。通常、この暖機時間を節約し通電ドリフトのない状態で測定できるようにするために、電子天びんが未使用中は電源を供給状態にして計量表示を消しておくという手法が採られているものもある。
【０００３】
【特許文献１】特開平５−２７３０３６号公報
【特許文献２】特開２００１−３１７９９１号公報
【発明の開示】
【発明が解決しようとする課題】
【０００４】
従来の電子天びんには、定められた時刻に自動的に電源が供給されるものがなく、使用者が使用する際に手動で電源スイッチをＯＮにして電源を供給しているので、電源供給後の急激な内部温度上昇によって通電ドリフトが発生し、その変化が電子天びん個々により多少の相違があるが一定時間継続し、内部温度が安定し通電ドリフトの変化がなくなるまでの時間、すなわち暖機時間中は正確な測定が行えないという問題がある。特にその日の使用時間が予め決められているような場合、使用者が暖機時間を考慮して使用時間前に電源を投入しておく必要があるが、電源供給開始時間が前後して必要な時刻からの計量ができなかったり、必要な計量時間が取れなかったりする場合が発生するという問題がある。
この通電ドリフト時間をなくすため電源供給期間中は計量表示のみを消しておくという方法もあるが、消費電力が計量可能状態中と同じだけ必要になるという問題がある。
本発明は、このような事情に鑑みてなされたものであって、決められた計量時間を確実に確保でき、計量を行う際には通電ドリフトの影響が無い状態で正確な測定を行え、且つ電源供給休止期間中の消費電力を削減することができる電子天びんを提供することを目的とする。
【課題を解決するための手段】
【０００５】
上記の目的を達成するため、本発明の電子天びんは載置された試料荷重を電気信号に変換する荷重検出部からの出力信号を質量値に換算して表示する電子天びんにおいて、現在時刻を発信する時刻信号発信手段と、荷重検出部への電源供給を開始および終了する時刻を設定する時刻設定手段と、時刻信号が設定時刻に一致または設定時間を越えたことを判定する時刻判定手段と、時刻信号が電源供給開始時刻を越えた時点より全回路への電源供給を開始し、電源供給終了時刻を越えた時点より少なくとも荷重検出部を含む電気回路への電源供給を休止する電源供給手段を備えている。
また電源供給開始時刻から電源供給終了時刻までの期間中において、計量値表示回路への電源供給をオンオフする電源切替手段を設けている。
【発明の効果】
【０００６】
本発明の電子天びんは、予め暖機時間に相当する時間だけ使用する前に自動的に電源が供給されるので、使用する際には通電ドリフトが収斂した状態で正確な測定が可能となる。また、使用していない間は荷重検出部回路や計量値表示回路への電源の供給が停止されるので消費電力を大幅に減少させることができる。
【発明を実施するための最良の形態】
【０００７】
本発明が提供する電子天びんの最良の形態は、載置された試料荷重を電気信号に変換する荷重検出部からの出力信号を質量値に換算して表示する電子天びんにおいて、現在時刻を発信する時刻信号発信手段と、荷重検出部への電源供給を開始および終了する時刻を設定する時刻設定手段と、時刻信号が設定時刻を越えたかを判定する時刻判定手段と、時刻信号が電源供給開始時刻を越えた時点より全回路への電源供給を開始し、電源供給終了時刻を越えた時点より少なくとも荷重検出部を含む電気回路への電源供給を休止する電源供給手段を備え、かつ電源供給開始時刻から電源供給終了時刻までの期間中において、計量値表示回路への電源供給をオンオフする電源切替手段を設けたものである。
【実施例１】
【０００８】
以下、本発明の電子天びんの実施の形態を図面を参照しながら説明する。図１は、本発明の実施例による電子天びんの構成を示すブロック図である。荷重検出部１は、例えば電磁力平衡型の検出部であって、測定皿１ａ上の荷重に応じた電気信号を出力する。この荷重検出部１からの出力信号は、Ａ／Ｄ変換器２ａによってディジタル化された後、荷重検出データとして演算制御部３に一定のサンプリング周期毎に採り込まれる。この演算制御部３は、ＣＰＵ３１、ＲＯＭ３２、ＲＡＭ３３および入出力インターフェース３４ａ、３４ｂを主体として構成されている。
【０００９】
前記入出力インターフェース３４ａには、前記Ａ／Ｄ変換器２ａと、前記荷重検出部１内の温度を検出する温度センサ１ｂの出力をディジタル化するためのＡ／Ｄ変換器２ｂが接続されている。また、入出力インターフェース３４ｂには、計量値を表示するための表示器４と、電源供給の開始／終了時刻を入力する入力装置５と、時刻を送信する時計装置６と、電源供給をＯＮ／ＯＦＦする電磁リレーなどの電源入切器７が接続されている。
【００１０】
前記演算制御部３は、ＲＯＭ３２に書き込まれた電源供給開始／終了プログラムと予め入力装置５から入力され、ＲＡＭ３３に記憶されている電源供給開始／終了時刻を参照して電源ＯＮ／ＯＦＦ制御を行うとともに、ＲＯＭ３２に書き込まれた演算制御プログラムに基づいて、電源供給期間中に荷重検出データを採取する毎にそのデータをＲＡＭ３３内に格納するとともに、例えば最新の所定個数の荷重検出データを平均化し、その平均値に予め設定されているスパン係数を乗じる等の公知の演算によって測定皿１ａ上の質量値を求め、計量値として表示器４に表示する。
【００１１】
上記の構成部品のうちで演算制御部３、時計装置６などには電源部９から電源が常時供給され、荷重検出部１や表示器４の回路には電源入切器７を介して電源部９から電源が供給されるように構成されている。
【００１２】
前記荷重検出部１を始め電子天びんを構成する機械部品や電子部品は、それぞれ固有の伝熱特性を有しており、通電後の発熱に伴う温度変化により、一定温度で安定するまでの通電ドリフトによる計量誤差を生じる。したがって計量誤差を排除するためには、構成部品の温度が一定温度で安定するまでの暖機運転時間を必要とする。
【００１３】
電源供給開始／終了時刻Ｔ１、Ｔ２の設定例を図２のタイムチャートに示す。すなわち、計量作業開始時刻が１０：００ａｍ、計量作業終了時刻が６：００ｐｍ、暖機時間が１時間以内である場合には、電源供給開始時刻Ｔ１を９：００ａｍ、電源供給終了時刻Ｔ２を６：００ｐｍに設定する。計量作業時刻が日によって異なる場合は日ごとに必要な時刻Ｔ１、Ｔ２を設定する。
【００１４】
上記の電子天びんが供給電源Ｓから通電されると、ＲＯＭ３２に書き込まれた演算制御プログラムおよび電源供給開始／終了プログラムと予めＲＡＭ３３に入力装置５を介して読み込まれている電源ＯＮ／ＯＦＦ時刻Ｔ１、Ｔ２などの入力情報に基づき電源ＯＮ／ＯＦＦおよび計量が図３のフローチャートに基づき以下のように実行される。
【００１５】
本電子天びんに通電が行われると、ＲＯＭ３２に格納されている電源供給開始／終了プログラムと予めＲＡＭ３３に書き込まれている時刻Ｔ１、Ｔ２を参照して電源供給開始／終了プログラムが実行される。先ず現在時刻が電源供給開始時刻Ｔ１を越えたかをチェックし(Ｓ1)、ＮＯならば時刻Ｔ１に到達するまで一定時間毎にチェックを繰り返し、ＹＥＳなら電源入切器７をＯＮにし(Ｓ２)、演算制御プログラムに基づいて計量・表示を行う（Ｓ３）。次に現在時刻が電源供給終了時刻Ｔ２を越えたかをチェックし(Ｓ４)、ＮＯなら時刻Ｔ２を越えるまで計量・表示を繰り返し(Ｓ３)、ＹＥＳなら電源入切器７をＯＦＦにして(Ｓ５)現在時刻が時刻Ｔ１を越えるまで一定時間毎にチェックを繰り返す(Ｓ１)。
【００１６】
図４は、上記実施例の変形例による電子天びんの動作を説明するためのフローチャート図である。この電子天びんは、図１に示した入力装置５に表示ＯＮ／ＯＦＦキー８を設けて表示器４での計量表示をＯＮ／ＯＦＦ（表示／消去）できるようにしたものである。上記実施例と同様に通電後、現在時刻がＴ１を越えたかをチェックし（Ｓ１）、ＮＯならこのチェックを繰り返し、ＹＥＳなら電源入切器７をＯＮにして（Ｓ２）、計量を行いその計量値をＲＡＭ３３に記憶する（Ｓ３）。そして表示ＯＮ／ＯＦＦキー８がＯＦＦかどうかをチェックし（Ｓ４）、ＮＯなら計量値を表示し(Ｓ５)、ＹＥＳなら計量値の表示を消して（Ｓ６）、現在時刻がＴ２を越えたかをチェックする。現在時刻がＴ２を越えるまでステップ３からの手順を繰り返し、Ｔ２を越えた時点で電源入切器７をＯＦＦ（Ｓ８）にする。この電子天びんは計量表示ＯＦＦ中において、荷重検出部１を含むその他の電気回路に電源を供給しているため表示ＯＮ／ＯＦＦキー８で計量表示をＯＦＦからＯＮに切り替えて計量表示を行った場合、通電ドリフトの影響を受けず、安定した計量表示が行われる。
【００１７】
本発明の電子天びんの構成は上記実施例に限定されるものではなく、例えば、時計装置６の中に演算制御部３と別個の演算制御部を設け、電源供給開始／終了プログラムを実行させ、電源供給休止期間中その他の構成部品の電源を切断するようにしてもよい。また、供給電源Ｓからの電源供給をＯＮ／ＯＦＦする手動の電源スイッチ（図示省略）を電源部９の前に設けてもよく、この場合上記実施例はこの電源スイッチをＯＮにした状態で実施される。
【００１８】
上記においては、現在の時刻が設定時刻を越えた時これを判定する実施例で説明したが、超えなくても一致した時に判定するようにすることも可能で本発明はこれら一致の場合も含まれる。
【産業上の利用可能性】
【００１９】
本発明は電子天びん、はかりに用いられる。
【図面の簡単な説明】
【００２０】
【図１】本発明の実施例による電子天びんの構成を示すブロック図である。
【図２】実施例に係わるタイムチャート図である。
【図３】実施例に係わるフローチャート図である。
【図４】本発明の変形例による電子天びんの動作を説明するフローチャート図である。
【図５】電子天びんにおける通電ドリフト特性例を示す図である。
【符号の説明】
【００２１】
１  荷重検出部
１ａ  測定皿
１ｂ  温度センサ
２ａ  Ａ／Ｄ変換器
２ｂ  Ａ／Ｄ変換器
３  演算制御部
３１  ＣＰＵ
３２  ＲＯＭ
３３  ＲＡＭ
３４ａ  入出力インターフェース
３４ｂ  入出力インターフェース
４  表示器
５  入力装置
６  時計装置
７  電源入切器
８  表示ＯＮ／ＯＦＦキー
９  電源部
Ｓ  供給電源
【図１】
2007155681.tif 000003
【図２】
2007155681.tif 000004
【図３】
2007155681.tif 000005
【図４】
2007155681.tif 000006
【図５】
2007155681.tif 000007